(57)【特許請求の範囲】
【請求項１】
燃焼筐を備え、燃焼筐内に、燃焼室と燃焼室の下側の給気室とが設けられ、上端に混合気を噴出する炎口を有する前後方向に長手のバーナが燃焼室に横方向に隙間を存して並べて複数並設され、給気室から燃焼室に二次空気が上昇供給されるようにした燃焼装置であって、
各バーナ間の隙間に、各バーナの炎口形成領域の前後方向一方の端部にオーバーラップする前後方向部分の上端近傍に位置させて、二次空気の上昇を邪魔する火移り板を配置するものにおいて、
火移り板の前後方向他方の端部に、各バーナの上端より下方位置で下方に屈曲する折り曲げ部が形成されることを特徴とする燃焼装置。
【請求項２】
請求項１記載の燃焼装置であって、前記バーナの前後一方の端縁に当接するバーナ押え板を備えるものにおいて、バーナ押え板の上縁に、前記火移り板が一体に形成されることを特徴とする燃焼装置。
【請求項３】
請求項１記載の燃焼装置であって、前記燃焼筐の前後一方の外壁板の前記バーナより上方部分の内面を隙間を存して覆う遮熱板を備えるものにおいて、遮熱板の下縁に、前記火移り板が一体に形成されることを特徴とする燃焼装置。
【請求項４】
前記各バーナの外側面の前記火移り板に合致する上下方向位置に、横方向内方に窪む溝部が形成され、この溝部に、火移り板の側縁部が挿入されることを特徴とする請求項１〜３の何れか１項記載の燃焼装置。
【発明の詳細な説明】
【技術分野】
【０００１】
本発明は、燃焼筐を備え、燃焼筐内に、燃焼室と燃焼室の下側の給気室とが設けられ、上端に混合気を噴出する炎口を有する前後方向に長手のバーナが燃焼室に横方向に隙間を存して並べて複数並設され、給気室から燃焼室に二次空気が上昇供給されるようにした燃焼装置に関する。
【背景技術】
【０００２】
従来、この種の燃焼装置において、各バーナ間の隙間に、各バーナの炎口形成領域の前後方向一方の端部にオーバーラップする前後方向部分の上端近傍に位置させて、二次空気の上昇を邪魔する火移り板を配置したものが知られている（例えば、特許文献１参照）。このものでは、火移り板の直上部には二次空気が流れ難くなるため、火移り時に、隙間を介して隣接する一方のバーナの炎口から噴出する混合気の一部と他方のバーナの炎口から噴出する混合気の一部とが火移り板の直上部に滞留して、一方のバーナから他方のバーナへの火移りが促進される。
【０００３】
ところで、火移り板の前後方向他方の端部（火移り板が炎口形成領域の後端部にオーバーラップする前後方向部分に配置される場合は火移り板の前端部、火移り板が炎口形成領域の前端部にオーバーラップする前後方向部分に配置される場合は、火移り板の後端部）近傍では、上方に向かう二次空気の流れに渦が発生する。そして、この渦がバーナの上端に達すると、渦の影響でバーナの燃焼性に悪影響が及ぶが、従来は、これに対する対策が講じられていない。
【先行技術文献】
【特許文献】
【０００４】
【特許文献１】特開平５−２８０７１５号公報
【発明の概要】
【発明が解決しようとする課題】
【０００５】
本発明は、以上の点に鑑み、火移り板の端部近傍で発生する二次空気の渦による燃焼性の悪化を防止できるようにした燃焼装置を提供することをその課題としている。
【課題を解決するための手段】
【０００６】
上記課題を解決するために、本発明は、燃焼筐を備え、燃焼筐内に、燃焼室と燃焼室の下側の給気室とが設けられ、上端に混合気を噴出する炎口を有する前後方向に長手のバーナが燃焼室に横方向に隙間を存して並べて複数並設され、給気室から燃焼室に二次空気が上昇供給されるようにした燃焼装置であって、各バーナ間の隙間に、各バーナの炎口形成領域の前後方向一方の端部にオーバーラップする前後方向部分の上端近傍に位置させて、二次空気の上昇を邪魔する火移り板を配置するものにおいて、火移り板の前後方向他方の端部に、各バーナの上端より下方位置で下方に屈曲する折り曲げ部が形成されることを特徴とする。
【０００７】
本発明によれば、上方に向かう二次空気の流れに折り曲げ部の下端近傍で渦が発生することになる。従って、渦の発生位置が下方にずれて、バーナの上端まで渦が到達し難くなり、バーナの燃焼性が渦の影響で悪化することを防止できる。
【０００８】
ところで、燃焼装置には、バーナの前後一方の端縁に当接するバーナ押え板や燃焼筐の前後一方の外壁板のバーナより上方部分の内面を隙間を存して覆う遮熱板を備えるものがある。このような燃焼装置では、バーナ押え板の上縁や遮熱板の下縁に、火移り板を一体に形成することが望ましい。これによれば、部品点数を削減してコストダウンを図ることができる。
また、本発明においては、各バーナの外側面の火移り板に合致する上下方向位置に、横方向内方に窪む溝部が形成され、この溝部に、火移り板の側縁部が挿入されることが望ましい。これによれば、バーナや火移り板の横幅の誤差により各バーナの溝部側面と火移り板の側縁との間のクリアランスが多少広くなっても、クリアランスを介して火移り板の下方から上方に至る二次空気の流路は溝部内で横方向に屈曲するため、通気抵抗が大きくなって、火移り板の上方に流れる二次空気の流量は然程増加せず、更に、火移り板の上方に向かう二次空気の流れに溝部で横方向成分が付与されて上方に向かう勢いが弱くなる。従って、火移り板の直上部に滞留する混合気は然程吹き飛ばされず、火移り性能が悪化することを効果的に防止できる。
【図面の簡単な説明】
【０００９】
【図１】本発明の第１実施形態の燃焼装置の斜視図。
【図２】第１実施形態の燃焼装置の切断側面図。
【図３】図２のＩＩＩ−ＩＩＩ線で切断した要部の拡大断面図。
【図４】第１実施形態の燃焼装置に設けられるバーナの斜視図。
【図５】図４のＶ−Ｖ線で切断したバーナの断面図。
【図６】第１実施形態の燃焼装置に設けられるバーナ押え板の斜視図。
【図７】第２実施形態の燃焼装置の切断側面図。
【図８】第２実施形態の燃焼装置に設けられる遮熱板の斜視図。
【発明を実施するための形態】
【００１０】
図１、図２を参照して、１は、給湯用熱源機から成る燃焼装置を構成する燃焼筐を示している。燃焼筐１の上面は開放されており、燃焼筐１の上に被加熱物として図示省略した給湯用熱交換器が設置される。燃焼筐１内には、燃焼室２と燃焼室２の下側の給気室３とが設けられている。給気室３は燃焼室２に対し仕切り板４で仕切られている。燃焼室２内には、前後方向に長手のバーナ５が横方向に隙間を存して並べて複数並設されている。
【００１１】
給気室３の底面には図外の燃焼ファンが接続されており、燃焼ファンから給気室３に空気が供給される。仕切り板４には、多数の分布孔４１が形成されており、給気室３に供給された空気がこれら分布孔４１を介して燃焼室２に二次空気として上昇供給されるようにしている。
【００１２】
また、仕切り板４の前端には、上方に屈曲する起立板部４２と、起立板部４２の上端から前方に屈曲して燃焼筐１の前面の外壁板１１に達する上板部４３とが設けられている。そして、給気室３の前端部に、起立板部４２の前側で上板部４３に達するように立上る一次空気室３１が設けられる。起立板部４２には、各バーナ５の後述する混合管部５４の上流端の流入口５４ａに臨む各開口４４が形成され、一次空気室３１の前面は、ガスマニホールド６で閉塞される。ガスマニホールド６には、各開口４４に対向する各ノズル６１が設けられており、各開口４４、即ち、各バーナ５の混合管部５４に各ノズル６１から燃料ガスが供給されると共に一次空気室３１から一次空気が供給される。また、燃焼筐１の前面の外壁板１１には、フレームロッド７と点火電極８と覗き窓９とが配置されている。尚、図１ではガスマニホールド６が省略されている。
【００１３】
また、燃焼筐１のバーナ５上端よりも上方の外壁板部分はバーナ５の燃焼で強く加熱される。そこで、燃焼筐１の耐熱性を確保するために、燃焼筐１の前面の外壁板１１、後面の外壁板１２及び左右各側面の外壁板１３のバーナ５上端よりも上方の部分の内面を隙間を存して覆う前側と後側と左右各側の遮熱板１４、１５、１６を設けている。更に、バーナ５を位置決めするため、燃焼筐１内に、バーナ５の後端縁に当接するバーナ押え板１７を設けている。
【００１４】
図４、図５を参照して、バーナ５は、横方向に対峙する一対の側板５１ａ，５１ａを有するバーナ本体５１と、バーナ本体５１を横方向両側の外側から覆う一対の側板５２ａ，５２ａを有するバーナキャップ５２とを備えている。そして、バーナ５の上端に、混合気を噴出する炎口５３として、バーナ本体５１の両側板５１ａ，５１ａの上端を繋ぐ上板５１ｂに前後方向の間隔を存して複数形成した主炎口５３ａと、バーナ本体５１の各側板５１ａとバーナキャップ５２の各側板５２ａとの間に画成される袖火炎口５３ｂとを設けている。
【００１５】
また、バーナ本体５１には、前端の流入口５４ａから後方にのびる下部の混合管部５４と、混合管部５４の後端部から前後方向に広がりながら上方にのびる主混合気通路５５とが設けられ、流入口５４ａから流入する燃料ガスと一次空気との混合気が混合管部５４と主混合気通路５５とを介して主炎口５３ａに導かれるようにしている。尚、バーナ本体５１の両側板５１ａ，５１ａと上板５１ｂは、一枚の板を折り曲げることで形成されている。
【００１６】
バーナ本体５１の各側板５１ａとバーナキャップ５２の各側板５２ａとの間には、袖火炎口５３ｂに連なる袖火混合気通路５６が設けられている。また、バーナ本体５１の各側板５１ａには、バーナキャップ５２の各側板５２ａの下部が重ね合わされる部分より上方に位置させて、主混合気通路５５と袖火混合気通路５６とを連通する通気孔５６ａが前後方向の間隔を存して複数形成されている。そして、主混合気通路５５からこれら通気孔５６ａを介して分流される混合気が袖火混合気通路５６を介して袖火炎口５３ｂに供給され、袖火炎口５３ｂ上に形成される袖火により主炎口５３ａ上に形成される主炎が保炎されるようにしている。
【００１７】
また、バーナキャップ５２の各側板５２ａに、通気孔５６ａより上方に位置させて、横方向内方に窪む溝部５７を形成している。これにより、通気孔５６ａから袖火混合気通路５６に流入する混合気が溝部５７より下方の部分で前後方向に分布して、袖火炎口５３ｂから噴出する混合気の前後方向における分布の均一性を確保できる。尚、バーナキャップ５２は、両側板５２ａ，５２ａの上端を前後複数箇所で繋ぐブリッジ部５２ｂを有している。また、バーナ本体５１の後端下部には、バーナ押え板１７が係合する凹欠部５８が形成されている。
【００１８】
ところで、燃焼開始時には、点火電極８を臨ませたバーナ５から他のバーナ５に火移りさせる必要がある。そこで、各バーナ５，５間の隙間に、各バーナ５の炎口形成領域の後端部にオーバーラップする前後方向部分の上端近傍に位置させて、二次空気の上昇を邪魔する火移り板１８を設けている。これによれば、火移り板１８の直上部に二次空気が流れ難くなるため、火移り時に、隙間を介して隣接する一方のバーナ５の炎口５３から噴出する混合気の一部と他方のバーナ５の炎口５３から噴出する混合気の一部とが火移り板１８の直上部に滞留して、一方のバーナ５から他方のバーナ５への火移りが促進される。
【００１９】
尚、火移り板１８の前端近傍では、上方に向かう二次空気の流れに渦が発生する。そして、この渦がバーナ５の上端に達すると、渦の影響でバーナ５の燃焼性に悪影響が及ぶ。
【００２０】
そこで、本実施形態では、火移り板１８の前端部に、下方に屈曲する折り曲げ部１８ａを形成している。これによれば、渦が折り曲げ部１８ａの下端近傍で発生することになり、渦の発生位置が下方にずれて、バーナ５の上端まで渦が到達し難くなり、バーナ５の燃焼性が渦の影響で悪化することを防止できる。
【００２１】
また、本実施形態では、図３に示す如く、バーナキャップ５２の各側板５２ａに形成した上記溝部５７に、火移り板１８の側縁部を挿入している。これによれば、バーナ５や火移り板１８の横幅の誤差により各バーナ５の溝部５７側面と火移り板１８の側縁との間のクリアランスが多少広くなっても、クリアランスを介して火移り板１８の下方から上方に至る二次空気の流路は溝部５７内で横方向に屈曲するため、通気抵抗が大きくなって、火移り板１８の上方に流れる二次空気の流量は然程増加せず、更に、火移り板１８の上方に向かう二次空気の流れに溝部５７で横方向成分が付与されて上方に向かう勢いが弱くなる。従って、火移り板１８の直上部に滞留する混合気は然程吹き飛ばされず、火移り性能が悪化することを効果的に防止できる。
【００２２】
更に、本実施形態では、図６に示す如く、バーナ押え板１７の上縁に、火移り板１８を一体に形成している。これにより、部品点数を削減してコストダウンを図ることができる。
【００２３】
次に、図７、図８に示す第２実施形態について説明する。第２実施形態の基本的な構造は上記第１実施形態と特に異ならず、第１実施形態と同様の部材部位に上記と同一の符号を付している。第２実施形態の第１実施形態との相違点は、燃焼筐１の後面の外壁板１２のバーナ５上端よりも上方の部分の内面を隙間を存して覆う後側の遮熱板１５の下縁に、火移り板１８を一体に形成したことである。このものでも、部品点数を削減してコストダウンを図ることができる。
【００２４】
以上、本発明の実施形態について図面を参照して説明したが、本発明はこれに限定されない。例えば、各バーナ５，５間の隙間に、各バーナ５の炎口形成領域の前端部にオーバーラップする前後方向部分の上端近傍に位置させて、火移り板を配置することも可能である。この場合は、火移り板の後端部に折り曲げ部を形成すればよい。また、バーナとしてバーナキャップを有しないものを用いる燃焼装置にも同様に本発明を適用できる。
【符号の説明】
【００２５】
１…燃焼筐、１２…後面の外壁板、１５…後面の外壁板を覆う遮熱板、１７…バーナ押え板、１８…火移り板、１８ａ…折り曲げ部、２…燃焼室、３…給気室、５…バーナ、５３…炎口。
【図１】
0006534811.tif 000002
【図２】
0006534811.tif 000003
【図３】
0006534811.tif 000004
【図４】
0006534811.tif 000005
【図５】
0006534811.tif 000006
【図６】
0006534811.tif 000007
【図７】
0006534811.tif 000008
【図８】
0006534811.tif 000009